(57)【要約】【課題】  プレイリストに新コンテンツを追加するときの操作性を改善する。【解決手段】  ＣＰＵ（３４）は、プレイリストの登録済みコンテンツに付属するメタデータと、新コンテンツに付属するメタデータを比較して類似度を判定する。表示部（２４）は、登録済みコンテンツを類似度に従い表示する。ユーザは、表示部（２４）で表示される登録済みコンテンツに対する新コンテンツの挿入位置と、表示される登録済みコンテンツの切替えをユーザインターフェース（３２）でＣＰＵ３４に指示する。ＣＰＵ（３４）は、ユーザインターフェース（３２）で指示された登録済みコンテンツの前又は後に新コンテンツを挿入する。【選択図】  図１
2009032341.tif 000002
【特許請求の範囲】
【請求項１】
プレイリストに新コンテンツを追加するプレイリスト編集装置であって、
前記プレイリストの登録済みコンテンツに付属するメタデータと、新コンテンツに付属するメタデータを比較して類似度を判定する類似度判定手段と、
前記登録済みコンテンツを前記類似度判定手段の類似度に従い表示する表示手段と、
前記表示手段で表示する前記登録済みコンテンツに対する前記新コンテンツの挿入位置と、表示される前記登録済みコンテンツの切り替えを指示するユーザインターフェースと、
前記ユーザインターフェースで指示された前記登録済みコンテンツの前記挿入位置に前記新コンテンツを挿入する挿入手段
とを具備することを特徴とするプレイリスト編集装置。
【請求項２】
前記メタデータが、複数種類のデータを具備することを特徴とする請求項１に記載のプレイリスト編集装置。
【請求項３】
前記メタデータが、コンテンツの記録開始時間、記録位置、画像認識結果、及び音声認識結果の１以上を含むことを特徴とする請求項２に記載のプレイリスト編集装置。
【請求項４】
前記表示手段が、前記登録済みコンテンツをサムネイルで表示することを特徴とする請求項１乃至３の何れか１項に記載のプレイリスト編集装置。
【請求項５】
前記表示手段が、前記類似度判定手段の類似度に従って表示する前記登録済みコンテンツのサムネイルと、その他の前記登録済みコンテンツのサムネイルを、異なる態様で表示することを特徴とする請求項４に記載のプレイリスト編集装置。
【発明の詳細な説明】
【技術分野】
【０００１】
本発明は、プレイリストを編集するプレイリスト編集装置に関する。
【背景技術】
【０００２】
今日、ビデオカメラの記録媒体は、テープ媒体からディスク媒体又は半導体メモリ等のランダムアクセス媒体に変わりつつあり、テレビ放送を録画する映像記録再生装置の記録媒体もランダムアクセス媒体になってきている。ランダムアクセス媒体では、記録されたコンテンツの頭出しが容易である。プレイリストにより希望の順番でコンテンツを再生させることも可能になる。コンテンツの再生順番を記述するプレイリストにより、ユーザの希望する順番でコンテンツを再生することが可能になる。
【０００３】
一般的に、プレイリストに新たなコンテンツを追加する場合、ユーザが、追加したいコンテンツと挿入位置を指定する。
【０００４】
当然の事ながら、プレイリスト作成は、ユーザが所望のコンテンツ同士をつなげてストーリーを作る操作であり、必ずしも、時間順にコンテンツが並ぶわけではない。
【０００５】
既存のプレイリストにユーザが新しいコンテンツを追加しようと考えたとき、コンテンツの前後関係が容易に判断できず、適切な挿入位置を決定するのに時間がかかることがある。また、プレイリストへのコンテンツ登録には多くのボタン操作が要求され、ビデオカメラのような小型機器又は携帯機器では、操作が困難になりやすい。
【０００６】
コンテンツの一覧は一般的にサムネイルが用いられる。ユーザは、サムネイルを見て、どの位置に新たなコンテンツを挿入するのが適当かを判断しなければならない。似たサムネイルがある場合、コンテンツそのものを再生表示しなければ、追加しようとしているコンテンツとの前後関係などがわからないこともある。ビデオカメラなどの小型機器は表示画面が小さいので、一度に多くのサムネイルを表示できず、挿入位置を決定するのがなおさら困難になる。
【０００７】
また、プレイリストに含まれるコンテンツ数が増えるにつれて、ユーザがプレイリスト上の所望する挿入位置を決定することがさらに困難になる。
【０００８】
特許文献１には、保存されたコンテンツをコンテンツの付加情報に基づいてタイトル文字列のアルファベット順や作成日時などの一定の規則によって整列するコンテンツ選択装置が記載されている。これは、該当するコンテンツをソートするという意味においては有効であり、プレイリストにコンテンツを追加する際に比較的楽に挿入位置を決定できる可能性がある。
【特許文献１】特開２００６−１８９６５号公報
【発明の開示】
【発明が解決しようとする課題】
【０００９】
しかし、プレイリストは、コンテンツを時間順に並べたものではない。プレイリストはユーザが意図して作り上げたストーリーそのものであり、時間順などのソート機能はストーリーの前後関係を失うことがあるので適用できない。
【００１０】
本発明は、新たなコンテンツのプレイリストへの適切な挿入位置をユーザに提示するプレイリスト編集装置を提示することを目的とする。
【課題を解決するための手段】
【００１１】
本発明に係るプレイリスト編集装置は、プレイリストに新コンテンツを追加するプレイリスト編集装置であって、前記プレイリストの登録済みコンテンツに付属するメタデータと、新コンテンツに付属するメタデータを比較して類似度を判定する類似度判定手段と、前記登録済みコンテンツを前記類似度判定手段の類似度に従い表示する表示手段と、前記表示手段で表示する前記登録済みコンテンツに対する前記新コンテンツの挿入位置と、表示される前記登録済みコンテンツの切り替えを指示するユーザインターフェースと、前記ユーザインターフェースで指示された前記登録済みコンテンツの前記挿入位置に前記新コンテンツを挿入する挿入手段とを具備することを特徴とする。
【発明の効果】
【００１２】
本発明によれば、類似性の高い順に登録済みコンテンツをユーザに提示するので、ユーザは、適切な挿入個所を判断しやすくなり、プレイリスト編集の操作性が向上する。
【発明を実施するための最良の形態】
【００１３】
以下、図面を参照して、本発明の実施例を詳細に説明する。
【実施例１】
【００１４】
図１は、本発明の一実施例であるビデオカメラ１０の概略構成ブロック図を示す。
【００１５】
ビデオカメラ１０は、プレイリストを作成可能な記録フォーマットをサポートしており、ＤＶＤ（Digital Versatile Disk）に準拠するディスク媒体２８に撮影映像を記録再生でき、記録映像を編集できる。
【００１６】
マイク１２は、外界の音声を取り込む音声入力手段である。音声圧縮部１４は、マイク１２からの音声信号を記録用に圧縮する。音声復号部２２は、圧縮音声信号を復号し、スピーカ２０は、音声信号を音に変換して外界に出力する。
【００１７】
カメラ１６は、被写体の光学像を所定形式の映像信号に変換する。映像圧縮部１８は、カメラ１６からの映像信号を記録用に圧縮する。表示部２４は、いわゆるファインダとして撮影中の被写体を表示し、また、再生映像信号の画像を表示する。表示部２４はまた、ユーザにシステムの状態を示すのにも使用される。映像復号部２６は、圧縮映像信号を復号する。
【００１８】
ディスク媒体２８には、音声圧縮部１４により圧縮された音声情報及び映像圧縮部１８により圧縮された映像情報が記録される。フロントエンド（ＦＥ）３０は、ディスク媒体２８の回転を制御し、光ピックアップの動作を制御する。
【００１９】
ユーザインターフェース（ＵＩ）３２は、ユーザの指示をＣＰＵ３４に通知するのに使用され、種々のキー又はスイッチからなる。ＣＰＵ３４は、メモリ３６を使って、システム全体を制御する。メモリ３６は、圧縮データ及び復号済みデータの一部格納場所等としても使用される。
【００２０】
サムネイル作成部３８は、ディスク媒体２８に記録済みの各コンテンツのサムネイルを作成する。サムネイル作成部３８は、再生モードで記録済みのコンテンツの一覧をサムネイルで表示するのに利用される。
【００２１】
多重化処理部４０は、映像圧縮部１８で圧縮された映像情報と音声圧縮部１４で圧縮された音声情報を多重化して、一つの多重化ストリームを生成する。他方、分離処理部４２は、ディスク媒体２８から読み出された多重化ストリームから音声圧縮データと映像圧縮データを分離する。
【００２２】
以下、再生モードでの本実施例の動作を説明する。ユーザが、ＵＩ３２を使って、ＣＰＵ３４に再生モードへの移行を指示すると、ＣＰＵ３４は、各部を再生モードに応じた動作に制御する。ＣＰＵ３４は、ディスク媒体２８に記録されるコンテンツのサムネイルを表示部２４で一覧表示する。そのために、ＦＥ３０は、ディスク媒体２８から各映像音声情報の多重化ストリームデータを読み出し、分離処理部４２に供給する。分離処理部４２は、読み出された多重化ストリームから映像圧縮データを分離する。映像復号部２６が各映像圧縮データを復号化し、サムネイル作成部３８でサムネイルを作成する。表示部２４は、このように生成されたサムネイルを所定数、１画面上に表示する。
【００２３】
ユーザが所望の１つのサムネイルを選択すると、ＣＰＵ３４は、指定されたサムネイルに対応する映像音声情報の多重化ストリームをディスク媒体２８から読み出させる。分離処理部４２は、読み出された多重化ストリームを音声圧縮データと映像圧縮データに分離する。音声圧縮データは、音声復号部２２により復号化され、スピーカ２０から音として出力される。映像圧縮データは映像復号部２６で復号化され、表示部２４の画面に画像として順次、表示される。映像と音声のリップシンクに関しては、ＣＰＵ３４が適切なタイミングを考慮して、音声復号部２２及び映像復号部２６を制御する。
【００２４】
本実施例の基本的な記録動作を説明する。ユーザが、ＵＩ３２を使って、ＣＰＵ３４に記録モードへの移行を指示すると、ＣＰＵ３４は、各部を記録モードに応じた動作に制御する。
【００２５】
記録開始の操作に応じて、マイク１２から入力された音声信号は、音声圧縮部１４で圧縮され、音声圧縮データがメモリ３６へ格納される。同時に、カメラ１６からの映像信号は映像圧縮部１８で圧縮され、映像圧縮データがメモリ３６へ格納される。多重化処理部４０は、メモリ３６の音声圧縮データと映像圧縮データを多重化してストリームデータを生成する。このストリームデータは、ＦＥ３０によりディスク媒体２８に記録される。映像と音声のリップシンクに関しては、ＣＰＵ３４が適切なタイミングを考慮して各ブロックを制御する。
【００２６】
本実施例のプレイリスト編集を説明する。ＣＰＵ３４は、ディスク媒体２８に記録される任意のコンテンツに対してプレイリストを作成することができる。プレイリストにコンテンツ（新コンテンツ）を追加する動作を説明する。プレイリスト追加は、基本的に再生モードで実行可能である。再生時に表示部２４に表示される全コンテンツをオリジナルコンテンツと定義する。オリジナルコンテンツのうち、ユーザがプレイリストに登録したいものを選択してプレイリストに追加することになる。
【００２７】
図２は、オリジナルコンテンツの一例を示す。ユーザは、先ず、オリジナルコンテンツからプレイリストに追加したいコンテンツ、即ち、新コンテンツを選択する。本実施例は、プレイリストに入れ忘れていたコンテンツを挿入する場合に、最も有効である。そこで、ここでは、プレイリストに追加し忘れたコンテンツを改めて追加する場合の動作を説明する。
【００２８】
図３は、プレイリストにコンテンツを追加する様子を示す。図４は、追加し忘れたコンテンツをプレイリストに追加する際の例を示す。ユーザがコンテンツの追加を指示すると、ＣＰＵ３４は、図５に示すように、プレイリストの登録済みコンテンツ中で類似性の高いコンテンツを探索する基準をユーザに問う問い合わせ画面を表示部２４に表示させる。図５に示す問合せ画面例では、追加用に指定されたコンテンツに類似するコンテンツを探索する基準として、撮影開始時間と撮影時間の一方を選択できる。
【００２９】
ＣＰＵ３４は、ユーザにより選択された基準に従い、コンテンツに付属するメタデータを参照して、類似性の高いコンテンツを決定し、ユーザに提示する。ＣＰＵ３４は、特許請求の範囲の類似度判定手段及び挿入手段として機能する。ユーザは、提示されたコンテンツが所望のものでなければ、ＵＩ３２を使って、プレイリスト上の次の候補コンテンツ又は前の候補コンテンツへの移動をＣＰＵ３４に指示できる。詳細は後述するが、ユーザは、最終的に決定したコンテンツの前又は後ろを方向キーで指定して、ＣＰＵ３４は、プレイリスト上の指定された位置にコンテンツを挿入する。
【００３０】
図６は、ＤＶＤ-ＶＲフォーマットのファイル配置例を示す。図６を参照して、撮影開始時間を比較して、撮影開始時刻の近いコンテンツを特定する動作を説明する。
【００３１】
ＶＲフォーマットの管理ファイルであるＶＲ＿ＭＡＮＧＲ．ＩＦＯファイルは、主に、ディスクに記録されたコンテンツのディスク上の位置と撮影開始時間及び経過時間を記録する。
【００３２】
以上で、オリジナルコンテンツと説明していたのは、図６のＯＲＧ＿ＰＧＣＩであり、プレイリストに登録済みのコンテンツと説明していたのは、図６のＵＤ＿ＰＧＣＩである。それぞれに登録されている各コンテンツは、ＣＩという情報で管理されている。各コンテンツは、大元のストリームデータを参照しており、これが、Ｍ＿ＡＶＩＦＴに含まれるＭ＿ＶＯＢＩと呼ばれる領域である。この領域には、ＶＯＢ＿ＲＥＣ＿ＴＭと呼ばれる領域があり、この領域にそのストリームデータ（ＶＯＢ）が記録開始された時間が含まれている。ＶＯＢ＿Ｖ＿Ｓ＿ＰＴＭという領域には、ＶＯＢ＿ＲＥＣ＿ＴＭと関連したシステム内部の相対時間情報が含まれている。情報ＣＩには、Ｃ＿Ｖ＿Ｓ＿ＰＴＭと呼ばれる領域があり、各ＣＩが参照するＭ＿ＶＯＢＩとＭ＿ＶＯＢＩのどの時間から開始されるべきコンテンツかが記録されている。つまり、Ｍ＿ＶＯＢＩ中のＶＯＢ＿ＲＥＣ＿ＴＭとＶＯＢ＿Ｖ＿Ｓ＿ＰＴＭ、およびＣＩ中のＣ＿Ｖ＿Ｓ＿ＰＴＭを比較することで、メタデータである時間に基づく優先順位で、類似性の高いコンテンツを提示できる。
【００３３】
ここでオリジナルコンテンツＸをプレイリストに追加する例を考える。プレイリスト上にはコンテンツＡとコンテンツＢの二つがある。コンテンツＸの時間情報は前述した通り、Ｍ＿ＶＯＢＩ＿ＳＲＰＮを利用して、コンテンツＸが参照するＭ＿ＶＯＢＩを特定する。Ｍ＿ＶＯＢＩが特定された後、ＶＯＢ＿ＲＥＣ＿ＴＭとＶＯＢ＿Ｖ＿Ｓ＿ＰＴＭとＣ＿Ｖ＿Ｓ＿ＰＴＭを利用して、コンテンツＸの時間位置が判断する。同様にして、コンテンツＡとコンテンツＢの時間位置を判断する。これらの判断結果から、コンテンツＸがコンテンツＡとコンテンツＢのどちらにより時間的に近いかが判別できる。
【００３４】
例えば、コンテンツＸ、コンテンツＡ、コンテンツＢの記録開始時間がそれぞれ、２００６／１／２  １０：３０、２００６／１／２  １０：４０、２００６／１／２  １８：００だったとする。この場合、コンテンツＡが最も優先順位（類似性）の高いコンテンツとなる。この結果をユーザに提示することで、ユーザは、コンテンツＸに最も撮影時間が近いコンテンツＡを知ることができる。
【００３５】
プレイリストに登録済みのコンテンツの中からこのように選択されたコンテンツをユーザに示す幾つかの方法を説明する。例えば、選択されたコンテンツのサムネイルの表示態様を、他のコンテンツのサムネイルとは容易に識別できるように変更する。
【００３６】
図７は、選択されたコンテンツのサムネイルのコントラストを、他のコンテンツのサムネイルのそれより強調する例を示す。図８は、選択されたコンテンツのサムネイルの枠の色を他のサムネイルの枠とは異なる色にして、サムネイルを強調する例である。図９は、選択されたコンテンツのサムネイルの枠を他のサムネイルの枠よりも太くする例である。図１０は、選択されたコンテンツのサムネイルのサイズを他のサムネイルのサイズより大きくする例である。図１１は、選択されたコンテンツのサムネイルに記号を付加して、目立たせた例である。
【００３７】
次に、ユーザに提示されたコンテンツに対して、挿入位置を決定する操作を説明する。
【００３８】
ユーザは、類似性の高いコンテンツが提示されると、このコンテンツの前と後のどちらに新たなコンテンツを挿入するのか、または、類似性が高い別のコンテンツに移動するかを、決定しなければならない。そのために、本実施例では、類似性の高いコンテンツのサムネイルの周囲に図１２に示すような矢印を模した枠を付加的に表示する。ＵＩ３２には、図１３に示すような、４方向キーと、中央の決定ボタンを有するセレクトボタンを具備する。セレクトボタンの左キーの操作で、提示されたコンテンツの左側に新たなコンテンツを挿入する。セレクトボタンの右キーの操作で、提示されたコンテンツの右側に新たなコンテンツを挿入する。セレクトボタンの上キーの操作で、類似性が高い次順位のコンテンツに切り替える。セレクトボタンの下キーの操作で、類似性が高い前順位のコンテンツに切り替える。
【００３９】
図１２に示すような画面表示と、図１３に示すような操作手段を採用することで、ユーザは、提示されたコンテンツに対する挿入位置と、コンテンツの変更を直感的にＣＰＵ３４に指示でき、操作性が一段と向上する。
【実施例２】
【００４０】
本発明の実施例２を説明する。図１４は、実施例２の概略構成ブロック図を示す。実施例２であるビデオカメラ１０ａは、撮影位置（記録位置）を自動検出する手段としてＧＰＳユニット５０を具備する。図１に示す実施例と同じ構成要素には同じ符号を付してある。
【００４１】
ＧＰＳユニット５０は、ＧＰＳ衛星からの電波からビデオカメラ１０ａの現在位置を計算する。撮影映像情報のメタデータにＧＰＳユニット５０で取得できる記録開始時の現在位置情報を含め、撮影映像情報をディスク媒体２８に記録する。その他の動作は、図１に示すビデオカメラ１０と同じである。
【００４２】
具体的に、ＤＶＤ−ＶＲ規格に沿って、その動作を説明する。図１５はＤＶＤ−ＶＲ規格で定められているフォルダ構造を示す。ＧＰＳ情報をコンテンツとともに記録するためには、ＧＰＳ情報とコンテンツの関連性を格納した新しいファイル（コンテンツ管理ファイルと呼ぶ）を作成し、このファイルをＶＲ規格で使用しない領域に保存する。図１６は、コンテンツ管理ファイルを保存した後のフォルダ構造を示す。図１６で、ＤＶＤ＿ＲＴＡＶフォルダ内のＧＰＳ．ＩＦＯファイルが、コンテンツ管理ファイルである。
【００４３】
図１７は、コンテンツ管理ファイルの内容例を示す。コンテンツの記録開始時にＧＰＳユニット５０からＧＰＳ情報を取得する。取得したＧＰＳ情報とコンテンツの管理番号とを関連付けて、コンテンツ管理ファイルに書き出す。ＧＰＳ情報は、例えば、撮影開始時の緯度と経度の情報である。コンテンツが追加された場合、又は削除された場合は、コンテンツ管理ファイルも更新される。
【００４４】
この実施例で、類似性の高いコンテンツを検出する動作を説明する。プレイリストに追加したいコンテンツのＧＰＳ情報をコンテンツ管理ファイルから取得する。次に、コンテンツ管理ファイルの中でプレイリストに登録されているコンテンツのＧＰＳ情報と、追加したいコンテンツのＧＰＳ情報とを比較し、距離を計算する。そして、距離が近いコンテンツを類似性が高いコンテンツとしてからユーザに提示する。
【実施例３】
【００４５】
図１８は、本発明の実施例３の概略構成ブロック図である。図１８に示すビデオカメラ１０ｂは、図１に示すビデオカメラ１０に画像認識部５２を追加した構成からなる。図１に示す実施例と同じ構成要素には同じ符号を付してある。この実施例では、メタデータに、コンテンツを撮影した時の画像認識情報を用いる。
【００４６】
画像認識部５２は、カメラ１６から出力される画像から特徴的な要素、例えば、特徴的な複数の色成分を、数秒間、抽出し続ける。画像認識部５２で認識された結果は、実施例２のＧＰＳ情報と同様に、コンテンツの管理番号と共にコンテンツ管理ファイルに書き込まれる。そして、類似性の高いコンテンツを抽出する際に、コンテンツ管理ファイルの画像認識結果が利用される。
【００４７】
画像認識部５２による画像認識結果を使って、類似性の高いコンテンツを検出する動作を説明する。プレイリストに追加したいコンテンツの画像認識結果をコンテンツ管理ファイルから取得する。次に、コンテンツ管理ファイルの中でプレイリストに登録されているコンテンツの画像認識結果と、追加したいコンテンツの画像認識結果とを比較し、画像認識部５２で取得する複数の色成分の組み合わせパターンの類似度を算出する。そして、算出された類似度が高いコンテンツを順にユーザに提示する。
【実施例４】
【００４８】
図１９は、本発明の実施例４の概略構成ブロック図である。図１９に示すビデオカメラ１０ｃは、図１に示すビデオカメラ１０に音声認識部５４を追加した構成からなる。図１に示す実施例と同じ構成要素には同じ符号を付してある。この実施例では、メタデータに、コンテンツを撮影した時の音声認識結果を用いる。
【００４９】
音声認識部５４は、マイク１２から出力される音声信号から特徴的な要素、例えば、特徴的な周波数成分を数秒間隔で抽出し続ける。音声認識部５４で抽出された結果は、実施例２のＧＰＳ情報と同様に、コンテンツの管理番号と共にコンテンツ管理ファイルに書き込まれる。そして、類似性の高いコンテンツを抽出する際に、コンテンツ管理ファイルの音声認識結果が利用される。
【００５０】
音声認識部５４による音声認識結果を使って、類似性の高いコンテンツを検出する動作を説明する。プレイリストに追加したいコンテンツの音声認識結果をコンテンツ管理ファイルから取得する。次に、コンテンツ管理ファイルの中でプレイリストに登録されているコンテンツの音声認識結果と、追加したいコンテンツの音声認識結果とを比較し、音声認識部５４で取得する特徴的な周波数成分の組み合わせパターンの類似度を算出する。そして、算出された類似度が高いコンテンツを順にユーザに提示する。
【００５１】
ＧＰＳユニット５０，画像認識部５２，音声認識部５４を個別に追加した変更実施例を説明したが、これらを全て、図１に示す実施例に組み込んでも良い。その場合、撮影開始時間、撮影場所、画像認識結果及び音声認識結果の何れか１以上で、類似性の高い順に、プレイリストに登録済みのコンテンツをユーザに提示できる。勿論、撮影開始時間、撮影場所、画像認識結果及び音声認識結果の２以上の組み合わせで類似性を評価してもよい。即ち、メタデータは、コンテンツに関する複数種類のデータを具備してもよい。
【図面の簡単な説明】
【００５２】
【図１】本発明の一実施例の概略構成ブロック図である。
【図２】コンテンツの一覧画面例である。
【図３】プレイリストにコンテンツを追加する操作の説明図である。
【図４】プレイリストに後から追加するコンテンツを選択する操作の説明図である。
【図５】類似コンテンツウを探索する基準の問合せ画面例である。
【図６】ＤＶＤ-ＶＲフォーマットのファイル配置例である。
【図７】類似性の高いコンテンツの表示例である。
【図８】類似性の高いコンテンツの別の表示例である。
【図９】類似性の高いコンテンツの別の表示例である。
【図１０】類似性の高いコンテンツの別の表示例である。
【図１１】類似性の高いコンテンツの別の表示例である。
【図１２】挿入位置又は別コンテンツを選択する際の表示例である。
【図１３】挿入位置又は別コンテンツを選択する操作ボタン例である。
【図１４】本発明の実施例２の概略構成ブロック図である。
【図１５】ＤＶＤ−ＶＲのファイル構造例である。
【図１６】ＤＶＤ−ＶＲのファイル構造にコンテンツ管理ファイルを追加した構造例である。
【図１７】コンテンツ管理ファイルの内容例を示す。
【図１８】本発明の実施例３の概略構成ブロック図である。
【図１９】本発明の実施例４の概略構成ブロック図である。
【符号の説明】
【００５３】
１０，１０ａ，１０ｂ，１０ｃ：ビデオカメラ
１２：マイク
１４：音声圧縮部
１６：カメラ
１８：映像圧縮部
２０：スピーカ
２２：音声復号部
２４：表示部
２６：映像復号部
２８：ディスク媒体
３０：ＦＥ（フロントエンド）
３２：ＵＩ（ユーザーインターフェイス）
３４：ＣＰＵ（中央演算処理装置）
３６：メモリ
３８：サムネイル作成部
４０：多重化処理部
４２：分離処理部
５０：ＧＰＳ部
５２：画像認識部
５４：音声認識部
【図１】
2009032341.tif 000003
【図２】
2009032341.tif 000004
【図３】
2009032341.tif 000005
【図４】
2009032341.tif 000006
【図５】
2009032341.tif 000007
【図６】
2009032341.tif 000008
【図７】
2009032341.tif 000009
【図８】
2009032341.tif 000010
【図９】
2009032341.tif 000011
【図１０】
2009032341.tif 000012
【図１１】
2009032341.tif 000013
【図１２】
2009032341.tif 000014
【図１３】
2009032341.tif 000015
【図１４】
2009032341.tif 000016
【図１５】
2009032341.tif 000017
【図１６】
2009032341.tif 000018
【図１７】
2009032341.tif 000019
【図１８】
2009032341.tif 000020
【図１９】
2009032341.tif 000021